(57)【要約】【課題】複数個の四角形のパターンが複数本の導体線で形成されているタッチパネルに対し、視認性が低下することを抑制することが可能なタッチパネルを提供する。【解決手段】一つの開口部２を囲む四本の線４ａ〜線４ｄからなる複数個の四角形のパターンＲＰが複数本の第一導体線１４及び第二導体線２４で形成されているタッチパネル１であって、交差せずに配置された複数本の第一導体線１４を含む第一導電層と、第一導電層に積層され、且つ交差せずに配置された複数本の第二導体線２４を含む第二導電層を備え、第二導電層２０に第一導電層１０を積層した状態の平面視で、第一導体線１４と第二導体線２４とは、それぞれが交差して複数個の四角形のパターンＲＰが形成されるように配置されている。【選択図】図２
2018067228.tif 000002
【特許請求の範囲】
【請求項１】
一つの開口部を囲む四本の線からなる複数個の四角形のパターンが複数本の導体線で形成されているタッチパネルであって、
交差せずに配置された複数本の導体線を含む第一導電層と、前記第一導電層に積層され、且つ交差せずに配置された複数本の導体線を含む第二導電層と、を備え、
前記第二導電層に前記第一導電層を積層した状態の平面視で、前記第一導電層が含む導体線と前記第二導電層が含む導体線とは、それぞれが交差して前記複数個の四角形のパターンが形成されるように配置されていることを特徴とするタッチパネル。
【請求項２】
前記四角形のパターンは、正方形のパターンであることを特徴とする請求項１に記載したタッチパネル。
【請求項３】
前記導体線は、電極に接続された複数本の主電極線と、電極に接続された複数本の副電極線と、を含み、
前記平面視で、前記第一導電層が含む前記主電極線が有する直線部分と、前記第二導電層が含む前記主電極線が有する直線部分とが交差することを特徴とする請求項１または請求項２に記載したタッチパネル。
【請求項４】
前記導体線は、電極に接続された複数本の主電極線と、電極に接続された複数本の副電極線と、を含み、
前記平面視で、前記第一導電層が含む前記主電極線が有する直線部分と、前記第二導電層が含む前記主電極線が有する直線部分とが交差しないことを特徴とする請求項１または請求項２に記載したタッチパネル。
【請求項５】
前記平面視で、前記第一導電層が含む前記副電極線が有する直線部分と、前記第二導電層が含む前記副電極線が有する直線部分とが交差することを特徴とする請求項３または請求項４に記載したタッチパネル。
【請求項６】
前記平面視で、前記第一導電層が含む前記副電極線が有する直線部分と、前記第二導電層が含む前記副電極線が有する直線部分とが交差しないことを特徴とする請求項３または請求項４に記載したタッチパネル。
【請求項７】
前記複数本の主電極線は、前記平面視で予め設定した方向に連続するパターンである複数の主電極線群を形成し、
前記複数の主電極線群同士は、前記副電極線のみで連結されていることを特徴とする請求項３から請求項６のうちいずれか１項に記載したタッチパネル。
【請求項８】
前記複数の主電極線群は、前記平面視で、前記主電極線群の幅方向中心を通過する仮想直線の隣り合う間隔が等間隔となるように配置されていることを特徴とする請求項７に記載したタッチパネル。
【請求項９】
前記第一導電層及び前記第二導電層のうち少なくとも一方において、前記主電極線が有する直線部分の端部間に前記副電極線の一方の端部が連結されていることを特徴とする請求項３から請求項８のうちいずれか１項に記載したタッチパネル。
【請求項１０】
前記平面視で、前記第一導電層が含み、且つ連結された二本の前記導体線がなす角度が直角である第一直角部と、前記第二導電層が含み、且つ連結された二本の前記導体線がなす角度が直角である第二直角部と、が重なることを特徴とする請求項１から請求項９のうちいずれか１項に記載したタッチパネル。
【請求項１１】
前記導体線が有する直線部分の長さは、前記一つの開口部を囲む四本の線のうち一本の線の長さであるピッチの１倍以上６倍以下に設定されていることを特徴とする請求項１から請求項１０のうちいずれか１項に記載したタッチパネル。
【請求項１２】
前記導体線が有する直線部分の長さは、前記ピッチの１倍以上４倍以下に設定されていることを特徴とする請求項１１に記載したタッチパネル。
【請求項１３】
前記複数個の四角形のパターンは、画素を配列した配列方向に対して傾斜した方向である第一方向と、前記第一方向と交差する第二方向と、に沿って配列されていることを特徴とする請求項１から請求項１２のうちいずれか１項に記載したタッチパネル。
【発明の詳細な説明】
【技術分野】
【０００１】
本発明は、例えば、携帯通信端末が備えるタッチパネル等、表示装置に積層されるタッチパネルに関する。
【背景技術】
【０００２】
表示装置が備えるタッチパネルに、金属製の細線（金属細線）でパターンを形成する技術としては、例えば、特許文献１に記載されている技術がある。
特許文献１には、二本の金属細線が交差する交差領域における金属細線の幅が、交差領域以外における金属細線の幅に比べて狭い単位パターンを組み合わせて、メッシュパターンを形成する技術が記載されている。
【先行技術文献】
【特許文献】
【０００３】
【特許文献１】特開２０１４−６３４６８号公報
【発明の概要】
【発明が解決しようとする課題】
【０００４】
特許文献１に記載されている技術では、透明基体の一方の面上、すなわち、同じ層が含む二本の金属細線同士が交差して、メッシュパターンを形成している。
このため、同じ層が含む金属細線同士が交差している部分では、他の部分（金属細線同士が離間している部分等）と比較して、ウェットエッチングによるエッチング残り等によって金属細線の線幅が太くなり、タッチパネルの視認性が低下するという問題点がある。
本発明は、上記のような問題点に着目してなされたもので、視認性の低下を抑制することが可能な、タッチパネルを提供することを目的とする。
【課題を解決するための手段】
【０００５】
上記課題を解決するために、本発明の一態様は、一つの開口部を囲む四本の線からなる複数個の四角形のパターンが複数本の導体線で形成されているタッチパネルである。
タッチパネルは、交差せずに配置された複数本の導体線を含む第一導電層と、第一導電層に積層され、且つ交差せずに配置された複数本の導体線を含む第二導電層と、を備える。そして、第二導電層に第一導電層を積層した状態の平面視で、第一導電層が含む導体線と第二導電層が含む導体線とは、それぞれが交差して複数個の四角形のパターンが形成されるように配置されている。
【発明の効果】
【０００６】
本発明の一態様によれば、第一導電層及び第二導電層のそれぞれで、複数本の導体線が交差しないようにしたことで、導体線（金属細線）の線幅が太くなることを抑制することが可能となる。
このため、複数個の四角形のパターンが複数本の導体線で形成されているタッチパネルに対し、視認性が低下することを抑制することが可能となる。
【図面の簡単な説明】
【０００７】
【図１】本発明の第一実施形態のタッチパネルを表す平面図である。
【図２】図１中に破線で囲んだ領域ＩＩの拡大図である。
【図３】図２のＩＩＩ‐ＩＩＩ線断面図である。
【図４】第一導電層を表す平面図である。
【図５】第一主電極線及び第一副電極線の数と第一ダミー線の数との比率を表す図である。
【図６】二本の第一ダミー線が交差する位置に、空隙部が形成されている状態を表す図である。
【図７】二本の第一ダミー線が交差する位置に、空隙部を形成する処理を表す図である。
【図８】第二導電層を表す平面図である。
【図９】第一導体線と第二導体線との積層状態を表す図である。
【図１０】第一導体線と第二導体線との積層状態を表す図である。
【図１１】本発明の第一実施形態の変形例を表す図である。
【図１２】本発明の第一実施形態の変形例を表す図である。
【図１３】本発明の第一実施形態の変形例を表す図である。
【図１４】本発明の第一実施形態の変形例を表す図である。
【図１５】第一導電層を表す平面図である。
【図１６】第二導電層を表す平面図である。
【発明を実施するための形態】
【０００８】
以下の詳細な説明では、本発明の実施形態について、完全な理解を提供するように、特定の細部について記載する。しかしながら、かかる特定の細部が無くとも、一つ以上の実施形態が実施可能であることは明確である。また、図面を簡潔なものとするために、周知の構造及び装置を、略図で表す場合がある。
【０００９】
（第一実施形態）
以下、本発明の第一実施形態について、図面を参照しつつ説明する。
（構成）
図１から図１０を参照して、タッチパネル１の構成について説明する。
（タッチパネル１の概略構成）
図１及び図２中に表すタッチパネル１は、例えば、カーナビゲーションシステム等が備える。
また、タッチパネル１は、複数の座標に対応した複数の検出領域を有するパネルであり、例えば、静電容量方式のタッチパネルを形成する。
また、タッチパネル１は、液晶パネル等の表示パネル（表示装置）上に、接着部材を介して積層されたパネルである。
【００１０】
第一実施形態では、タッチパネル１の形状を、一例として、縦方向の長さよりも横方向の長さが大きい（横長）形状とした場合について説明する。
なお、図１中には、タッチパネル１が有する検出領域のうち、縦方向に配列した三つの座標（容量検出単位：ノード）と横方向に配列した三つの座標とを合計した、九つの座標（三行×三列）に対応した九つの検出領域を表す。
また、図２中には、タッチパネル１が有する九つの検出領域のうち、図１中で左上に配置した一つの検出領域のみを表す。なお、一つの検出領域の一辺の長さは、例えば、４［ｍｍ］以上５［ｍｍ］以下の範囲内に設定する。
【００１１】
また、図２中に表すように、タッチパネル１は、一つの開口部２を囲む四本の線４ａ〜線４ｄからなる複数個の四角形のパターンが、複数本の導体線で形成されているタッチパネルである。
第一実施形態では、一例として、パターンＲＰを、四角形のうち、正方形のパターンとした場合について説明する。したがって、第一実施形態では、四本の線４ａ〜線４ｄは、全て同じ長さの直線である。
なお、図２中では、説明のために、複数個の四角形のパターンのうち一つのパターンのみを、符号ＲＰを付して表している。したがって、図２中では、開口部２及び四本の線４ａ〜線４ｄも、一つのみ表す。
【００１２】
特に図示しないが、タッチパネル１を積層する表示装置が備える複数の画素は、図２中における水平方向及び垂直方向に沿って配列されている。なお、図２中には、複数の画素が配列されている方向を、「画素の配列方向、水平、垂直」と表す。
そして、複数個の四角形のパターンＲＰは、第一方向Ｄ１と、第一方向Ｄ１と交差する第二方向Ｄ２とに沿って配列されている。
第一方向Ｄ１は、複数の画素が配列されている方向に対して傾斜した方向である。
【００１３】
図３中に表すように、タッチパネル１は、第一導電層１０と、第二導電層２０と、を備えている。
図３は、第一導電層１０（第一基材１２）の片面（図３中では、上側の面）に第一導体線１４を有し、第二導電層２０（第二基材２２）の片面（図３中では、下側の面）に第二導体線２４を有する構成に係る図示である。
なお、第一導電層１０と第二導電層２０の積層形態としては、互いに形成された第一導体線１４と第二導体線２４が、第一導電層１０及び第二導電層２０の上下何れの側に面する配置であっても良い。
【００１４】
また、第一導体線１４と第二導体線２４が直接対向して配置される場合には、第一導体線１４と第二導体線２４との間の短絡が回避される様に、接着剤等の絶縁材料を介して、第一導体線１４と第二導体線２４を配置する必要がある。
また、第一導電層１０と第二導電層２０とを兼ねる共通（単独）の絶縁基材の表面及び裏面に、第一導体線１４と第二導体線２４が形成された構成の採用も可能である。
第一実施形態では、一例として、第一導電層１０が、タッチパネル１のセンシング層を形成する場合について説明する。
【００１５】
また、第一導電層１０は、第一基材１２と、交差せずに配置された複数本の導体線（図中及び以降の説明では、「第一導体線１４」と表す）を含んでいる。
第一基材１２は、ガラスや樹脂フィルム等の透明な材料を用いて形成されている。
なお、説明のために、図１及び図２中では、第一導体線１４を実線で表し、図３中では、第一導体線１４を黒塗りの円で表す。また、図３中には、第一導体線１４のうち、第一導電層１０のＩＩＩ−ＩＩＩ線断面と重なる部分のみを表す。
なお、第一導電層１０の詳細な構成については、後述する。
【００１６】
第二導電層２０は、図３中に表すように、第一導電層１０に積層されている。なお、図３中には、第一導電層１０と第二導電層２０とを積層した方向を、「積層方向」として双方向矢印で表す。
第一実施形態では、一例として、第二導電層２０が、タッチパネル１のドライブ層を形成する場合について説明する。
また、第二導電層２０は、第二基材２２と、交差せずに配置された複数本の導体線（図中及び以降の説明では、「第二導体線２４」と表す）を含んでいる。
【００１７】
第二基材２２は、第一基材１２と同様、ガラスや樹脂フィルム等の透明な材料を用いて形成されている。
なお、説明のために、図１中では、第二導体線２４を実線で表し、図２中では、第二導体線２４を破線で表し、図３中では、第二導体線２４を白抜きの円で表す。また、図３中には、第二導体線２４のうち、第二導電層２０のＩＩＩ−ＩＩＩ線断面と重なる部分のみを表す。
なお、第二導電層２０の詳細な構成については、後述する。
【００１８】
図２中に表すように、第二導電層２０に第一導電層１０を積層した状態の平面視で、複数本の第一導体線１４と、複数本の第二導体線２４とは、それぞれが交差して複数個の四角形のパターンＲＰが形成されるように配置されている。
なお、上述した平面視とは、第一導電層１０と第二導電層２０とを積層した方向に沿った視点である。
上述した構成により、タッチパネル１では、ドライブ層を形成する第二導電層２０に電圧が掛かることで発生する電気力線が、指先等の導体が接触していない場合には、センシング層を形成する第一導電層１０との間に存在する。
そして、指先等の導体が接触した場合には、電気力線の一部が、指先等の導体を介して接地される。そのため、第二導電層２０と第一導電層１０の間の静電容量が減少する。
このように、静電容量が変化する事で、タッチパネル１の操作面における指先等の導体の接触位置が検出される。
【００１９】
（第一導電層１０の構成）
図１から図３を参照しつつ、図４から図７を用いて、第一導電層１０の詳細な構成を説明する。
複数本の第一導体線１４は、例えば、金（Ａｕ）、銀（Ａｇ）、銅（Ｃｕ）等を用いて形成された金属線である。
第一実施形態では、一例として、第一導体線１４を、銅を用いて形成した場合について説明する。
【００２０】
第一導体線１４の線幅（太さ）は、例えば、３０［μｍ］以下に設定する。これは、第二導体線２４の線幅（太さ）についても、同様とする。
第一実施形態では、一例として、第一導体線１４の線幅を、２［μｍ］以上７［μｍ］以下の範囲内に設定した場合について説明する。これは、第二導体線２４の線幅についても、同様とする。
また、各第一導体線１４の連結点では、平面視で、二本の第一導体線１４が、直線状、「Ｔ字」形状、「Ｌ字」形状のうちいずれかの形状で連結されている。
これにより、第一導電層１０において、各第一導体線１４が交差する部分は形成されていない。
【００２１】
第一導体線１４が有する直線部分の長さは、一つの開口部２を囲む四本の線４（図２参照）のうち一本の線の長さであるピッチＷＰ（ワイヤーピッチ）の１倍以上６倍以下に設定されている。
第一実施形態では、一例として、第一導体線１４が有する直線部分の長さが、ピッチＷＰの１倍以上４倍以下に設定されている場合について説明する。
なお、図４中では、第一導体線１４が有する直線部分のうち、ピッチＷＰの３倍に長さが設定された一つの直線部分を、符号ＳＴａで表す。
【００２２】
また、ピッチＷＰは、例えば、１００［μｍ］以上４００［μｍ］以下の範囲内に設定する。これは、第二導電層２０においても同様である。
また、第一実施形態では、一例として、第一導体線１４の構成を、第一導電層１０において、第一導体線１４のみで、一つの開口部２を囲み、四角形のパターンＲＰを形成する四本の線（図２参照）が形成されることがない構成とした場合について説明する。
また、二本の第一導体線１４が連結された連結点には、平面視で、連結された二本の第一導体線１４がなす角度が直角である第一直角部１６が形成されている。なお、図４中では、複数形成されている第一直角部のうち、一つの第一直角部のみを、符号１６で表している。
【００２３】
複数本の第一導体線１４は、一つの検出領域に相当する第一導電層１０において、例えば、第一導電層１０の中心を基準として、予め設定した方向（図４中では、横方向）で点対称となるパターンを形成するように、配置されている。
また、複数本の第一導体線１４は、複数本の主電極線と、複数本の副電極線と、複数本のダミー線と、を含んでいる。
なお、図４中及び以降の説明では、第一導体線１４が含む主電極線を「第一主電極線１４Ｍ」と表し、第一導体線１４が含む副電極線を「第一副電極線１４Ｓ」と表し、第一導体線１４が含むダミー線を「第一ダミー線１４Ｄ」と表す。
【００２４】
また、図４中では、説明のために、第一主電極線１４Ｍを実線で表し、第一副電極線１４Ｓを破線で表し、第一ダミー線１４Ｄを第一主電極線１４Ｍよりも細い実線で表す。
第一主電極線１４Ｍ及び第一副電極線１４Ｓは、図外の電極に接続されている。なお、特に図示しないが、同一のノードを構成する複数本の第一主電極線１４Ｍは、一つの群を形成している。したがって、第一副電極線１４Ｓは、一つの群を形成している第一主電極線１４Ｍを介して、図外の電極に接続されている。
第一導体線１４が含む複数本の第一主電極線１４Ｍは、複数の第一主電極線群１８を形成している。
【００２５】
第一実施形態では、一例として、図４中に表すように、一つの検出領域において、第一導体線１４が含む複数本の第一主電極線１４Ｍが、四つの第一主電極線群１８を形成している場合について説明する。
四つの第一主電極線群１８は、それぞれ、図４中に表すように、一つの検出領域を、予め設定した方向（図４中では、縦方向）に連続するパターンである。
また、四つの第一主電極線群１８は、第一主電極線群１８の幅方向中心を通過する仮想直線ＶＬ１Ｍの、隣り合う間隔Ｌａ１〜間隔Ｌａ３が、それぞれ、等間隔となるように配置されている。
すなわち、図４中に表す四本の仮想直線ＶＬ１Ｍのそれぞれの間隔である、間隔Ｌａ１と、間隔Ｌａ２と、間隔Ｌａ３は、全て同じ間隔（長さ）である。
【００２６】
各第一副電極線１４Ｓは、複数の異なる第一主電極線群１８同士を連結している。すなわち、二つの第一主電極線群１８同士は、第一副電極線１４Ｓのみで連結されている。
第一副電極線１４Ｓと第一主電極線群１８との連結点は、第一副電極線１４Ｓの端部を、第一主電極線群１８の両端部間に接続して形成されている。
また、図４中に表すように、第一副電極線１４Ｓの幅方向中心を通過する仮想直線ＶＬ１Ｓと、第一副電極線１４Ｓが連結する第一主電極線群１８の仮想直線ＶＬ１Ｍとは、交差していない。
【００２７】
これにより、第一導電層１０において、仮想直線ＶＬ１Ｍと仮想直線ＶＬ１Ｓが交差する部分は形成されていない。また、第一導電層１０において、仮想直線ＶＬ１Ｍと仮想直線ＶＬ１Ｓは、平面視で、あみだ状に連続している。
第一ダミー線１４Ｄは、第一主電極線１４Ｍ及び第一副電極線１４Ｓに接続されておらず、電極とは電気的に絶縁されている。
また、第一導電層１０において、第一主電極線１４Ｍ及び第一副電極線１４Ｓのうち少なくとも一方と第一ダミー線１４Ｄとが交差した部分では、第一主電極線１４Ｍ及び第一副電極線１４Ｓの数と第一ダミー線１４Ｄの数との比率が、予め設定されている。
【００２８】
具体的には、上述した交差した部分を形成する四本の線のうち、第一主電極線１４Ｍ及び第一副電極線１４Ｓの数と第一ダミー線１４Ｄの数との比率は、図５（ａ）〜図５（ｄ）中に表すように、３：１、２：２、１：３、０：４のうちいずれか一つである。
なお、図５（ａ）〜図５（ｃ）中では、第一主電極線１４Ｍと第一ダミー線１４Ｄとが交差して形成された四本の線を表している。したがって、図５（ａ）〜図５（ｃ）中の第一主電極線１４Ｍを、第一副電極線１４Ｓに置き換えた場合であっても、同様の構成である。
【００２９】
また、図５（ａ）には、上述した交差した部分を形成する四本の線のうち、第一主電極線１４Ｍ及び第一副電極線１４Ｓの数と第一ダミー線１４Ｄの数との比率が、３：１である状態を表す。
同様に、図５（ｂ）には、上述した交差した部分を形成する四本の線のうち、第一主電極線１４Ｍ及び第一副電極線１４Ｓの数と第一ダミー線１４Ｄの数との比率が、２：２である状態を表す。
さらに、図５（ｃ）には、上述した交差した部分を形成する四本の線のうち、第一主電極線１４Ｍ及び第一副電極線１４Ｓの数と第一ダミー線１４Ｄの数との比率が、１：３である状態を表す。
【００３０】
そして、図５（ｄ）には、上述した交差した部分を形成する四本の線のうち、第一主電極線１４Ｍ及び第一副電極線１４Ｓの数と第一ダミー線１４Ｄの数との比率が、０：４である状態を表す。
また、図５（ａ）〜図５（ｃ）中に表すように、第一ダミー線１４Ｄと第一主電極線１４Ｍとの間には、空隙部ＳＰが形成されている。
同様に、図示は省略するが、第一ダミー線１４Ｄと第一副電極線１４Ｓとの間には、空隙部ＳＰが形成されている（図５（ａ）〜図５（ｃ）を参照）。
【００３１】
また、図５（ｄ）中に表すように、二本の第一ダミー線１４Ｄが交差する位置には、図６中に表すように、空隙部ＳＰが形成されている。
すなわち、図６中に表す例では、交差する二本の第一ダミー線１４Ｄの両方に対し、二本の第一ダミー線１４Ｄが交差する部分を切除するように、第一ダミー線１４Ｄの一部を切除して、空隙部ＳＰを形成する。
二本の第一ダミー線１４Ｄが交差する位置に空隙部ＳＰを形成する際には、図６中に表した例以外にも、図７（ａ）中に円ＣＥで囲んだ領域（加工領域）のうち、第一ダミー線１４Ｄが交差する位置をトリミング等で切除する例もある。これにより、図７（ｂ）や図７（ｃ）中に表すように、空隙部ＳＰを形成する。
【００３２】
すなわち、図７（ｂ）中に表す例では、交差する二本の第一ダミー線１４Ｄの両方に対し、二本の第一ダミー線１４Ｄが交差する部分が残るように、第一ダミー線１４Ｄの一部を切除して、空隙部ＳＰを形成する。これに加え、図７（ｂ）中に表す例では、二本の第一ダミー線１４Ｄが交差して形成された二つの直角な角部のうち、一方の角部を残す。
また、図７（ｃ）中に表す例では、交差する二本の第一ダミー線１４Ｄの一方のみに対し、二本の第一ダミー線１４Ｄが交差する部分が残るように、第一ダミー線１４Ｄの一部を切除して、空隙部ＳＰを形成する。
【００３３】
（第二導電層２０の構成）
図１から図７を参照しつつ、図８を用いて、第二導電層２０の詳細な構成を説明する。
なお、第一導電層１０と同様の構成については、説明を省略する場合がある。
複数本の第二導体線２４は、第一導体線１４と同様、例えば、金（Ａｕ）、銀（Ａｇ）、銅（Ｃｕ）等を用いて形成された金属線である。
第一実施形態では、一例として、第二導体線２４を、銅を用いて形成した場合について説明する。
【００３４】
また、各第二導体線２４の連結点では、各第一導体線１４の連結点と同様、平面視で、二本の第二導体線２４が、直線状、「Ｔ字」形状、「Ｌ字」形状のうちいずれかの形状で連結されている。
これにより、第二導電層２０において、各第二導体線２４が交差する部分は形成されていない。
第二導体線２４が有する直線部分の長さは、一つの開口部２を囲む四本の線４のうち一本の線の長さであるピッチＷＰ（ワイヤーピッチ）の１倍以上６倍以下に設定されている。
【００３５】
第一実施形態では、一例として、第二導体線２４が有する直線部分の長さが、ピッチＷＰの１倍以上４倍以下に設定されている場合について説明する。
なお、図８中では、第二導体線２４が有する直線部分のうち、ピッチＷＰの３倍に長さが設定された一つの直線部分を、符号ＳＴｂで表す。
また、第一実施形態では、一例として、第二導体線２４の構成を、第二導電層２０において、第二導体線２４のみで、一つの開口部２を囲み、四角形のパターンＲＰを形成する四本の線（図２参照）が形成されることがない構成とした場合について説明する。
【００３６】
また、二本の第二導体線２４が連結された連結点には、平面視で、連結された二本の第二導体線２４がなす角度が直角である第二直角部２６が形成されている。なお、図８中では、複数形成されている第二直角部のうち、一つの第二直角部のみを、符号２６で表している。
そして、第一導電層１０に第二導電層２０を積層した状態では、図２中に表すように、平面視で、第一直角部１６と第二直角部２６とが重なる部分である直角積層部６が形成される。なお、図２中では、複数形成されている直角積層部のうち、一つの直角積層部のみを、符号６で表している。
【００３７】
また、複数本の第二導体線２４は、一つの検出領域に相当する第二導電層２０において、例えば、第二導電層２０の中心を基準として、予め設定した方向（図８中では、縦方向）で点対称となるパターンを形成するように、配置されている。
また、複数本の第二導体線２４は、複数本の主電極線と、複数本の副電極線と、複数本のダミー線と、を含んでいる。
なお、図８中及び以降の説明では、第二導体線２４が含む主電極線を「第二主電極線２４Ｍ」と表し、第二導体線２４が含む副電極線を「第二副電極線２４Ｓ」と表し、第二導体線２４が含むダミー線を「第二ダミー線２４Ｄ」と表す。
また、図８中では、説明のために、第二主電極線２４Ｍを実線で表し、第二副電極線２４Ｓを破線で表し、第二ダミー線２４Ｄを第二主電極線２４Ｍよりも細い実線で表す。
【００３８】
第二主電極線２４Ｍ及び第二副電極線２４Ｓは、図外の電極に接続されている。なお、特に図示しないが、同一のノードを構成する複数本の第二主電極線２４Ｍは、一つの群を形成している。したがって、第二副電極線２４Ｓは、一つの群を形成している第二主電極線２４Ｍを介して、図外の電極に接続されている。
第二導体線２４が含む複数本の第二主電極線２４Ｍは、複数の第二主電極線群２８を形成している。
第一実施形態では、一例として、図８中に表すように、一つの検出領域において、第二導体線２４が含む複数本の第二主電極線２４Ｍが、四つの第二主電極線群２８を形成している場合について説明する。
【００３９】
四つの第二主電極線群２８は、それぞれ、図８中に表すように、一つの検出領域を、予め設定した方向（図８中では、横方向）に連続するパターンである。
すなわち、第一導電層１０が含む第一主電極線群１８が連続する方向と、第二導電層２０が含む第二主電極線群２８が連続する方向は、交差（直交）している。
また、四つの第二主電極線群２８は、第二主電極線群２８の幅方向中心を通過する仮想直線ＶＬ２Ｍの、隣り合う間隔Ｌｂ１〜間隔Ｌｂ３が、それぞれ、等間隔となるように配置されている。
すなわち、間隔Ｌｂ１と、間隔Ｌｂ２と、間隔Ｌｂ３は、全て同じ間隔（長さ）である。
【００４０】
各第二副電極線２４Ｓは、複数の異なる第二主電極線群２８同士を連結している。すなわち、二つの第二主電極線群２８同士は、第二副電極線２４Ｓのみで連結されている。
第二副電極線２４Ｓと第二主電極線群２８との連結点は、第一副電極線１４Ｓと第一主電極線１４Ｍとの連結点と同様、第二副電極線２４Ｓの端部を、第二主電極線群２８の両端部間に接続して形成されている。
また、図８中に表すように、第二副電極線２４Ｓの幅方向中心を通過する仮想直線ＶＬ２Ｓと、第二副電極線２４Ｓが連結する第二主電極線群２８の仮想直線ＶＬ２Ｍとは、交差していない。
【００４１】
これにより、第二導電層２０において、仮想直線ＶＬ２Ｍと仮想直線ＶＬ２Ｓが交差する部分は形成されていない。また、第二導電層２０において、仮想直線ＶＬ２Ｍと仮想直線ＶＬ２Ｓは、平面視で、あみだ状に連続している。
第二ダミー線２４Ｄは、第二主電極線２４Ｍ及び第二副電極線２４Ｓに接続されておらず、電極とは電気的に絶縁されている。
また、第二導電層２０において、第二主電極線２４Ｍ及び第二副電極線２４Ｓのうち少なくとも一方と第二ダミー線２４Ｄとが交差した部分では、第二主電極線２４Ｍ及び第二副電極線２４Ｓの数と第二ダミー線２４Ｄの数との比率が、予め設定されている。
【００４２】
具体的には、上述した交差した部分を形成する四本の線のうち、第二主電極線２４Ｍ及び第二副電極線２４Ｓの数と第二ダミー線２４Ｄの数との比率は、３：１、２：２、１：３、０：４のうちいずれか一つである（図５（ａ）〜図５（ｄ）を参照）。
また、第一導電層１０と同様、第二ダミー線２４Ｄと第二主電極線２４Ｍとの間には、空隙部が形成されている（図５（ａ）〜図５（ｃ）を参照）。
同様に、第二ダミー線２４Ｄと第二副電極線２４Ｓとの間には、空隙部が形成されている（図５（ａ）〜図５（ｃ）を参照）。
また、二本の第二ダミー線２４Ｄが交差する位置には、空隙部が形成されている（図５（ｄ）、図６、図７（ａ）〜図７（ｃ）を参照）。
【００４３】
（第一導体線１４と第二導体線２４との積層状態）
図１から図８を参照しつつ、図９及び図１０を用いて、第一導体線１４と第二導体線２４との積層状態を説明する。
上述した構成により、第二導電層２０に第一導電層１０を積層した状態の平面視では、第一導体線１４と第二導体線２４とを組み合わせた状態が、図９中に表す状態、または、図１０中に表す状態となる。
以下、図９中に表す状態について説明する。
【００４４】
図９（ａ）中に表すように、第一導体線１４と第二導体線２４が交差する状態は、第一導電層１０において第一導体線１４が交差する状態では無く、第二導電層２０において第二導体線２４が交差する状態でも無い。
したがって、ウェットエッチングによるエッチング残り等により、他の部分（導体線同士が離間している部分等）と比較して導体線の線幅が太くなる状態が発生しない。
このため、図９（ｂ）中に表すように、第二導電層２０に第一導電層１０を積層した状態の平面視では、開口部２の開口率（透過率）がエッチング残り等によって低下することが無く、また、視認性の低下が抑制される。
また、図９（ａ）中に表すように、平面視で、第一導体線１４と第二導体線２４が交差する状態には、第一主電極線１４Ｍが有する直線部分と、第二主電極線２４Ｍが有する直線部分とが交差する状態を含む。
【００４５】
すなわち、平面視で、第一導体線１４と第二導体線２４とを組み合わせた状態には、第一導電層１０が含む第一主電極線１４Ｍが有する直線部分と、第二導電層２０が含む第二主電極線２４Ｍが有する直線部分とが交差する状態を含む。
さらに、図９（ａ）中に表すように、平面視で、第一導体線１４と第二導体線２４が交差する状態には、第一副電極線１４Ｓが有する直線部分と、第二副電極線２４Ｓが有する直線部分とが交差する状態を含む。
すなわち、平面視で、第一導体線１４と第二導体線２４とを組み合わせた状態には、第一導電層１０が含む第一副電極線１４Ｓが有する直線部分と、第二導電層２０が含む第二副電極線２４Ｓが有する直線部分とが交差する状態を含む。
【００４６】
次に、図１０中に表す状態について説明する。
図１０（ａ）中に表すように、平面視で第一導体線１４と第二導体線２４とを組み合わせた状態には、第一導体線１４が有する直線部分の端部間に、他の第一導体線１４の一方の端部が連結される状態を含む。
これは、例えば、図１０（ｂ）中に表すように、主電極線（第一主電極線１４Ｍ）が有する直線部分の端部間に、副電極線（第一副電極線１４Ｓ）の一方の端部が連結されている状態である。なお、特に図示しないが、図１０（ｂ）中に表すは、第一導体線１４と第二導体線２４とを置き換えても、同様の条件である。
【００４７】
すなわち、平面視で第一導体線１４と第二導体線２４とを組み合わせた状態には、第一導電層１０及び第二導電層２０のうち少なくとも一方において、主電極線が有する直線部分の端部間に、副電極線の一方の端部が連結されている状態を含む。
この状態では、図１０（ｂ）中に表すように、第一導体線１４が有する直線部分と、この直線部分に一方の端部が連結された第一導体線１４とのなす角度が直角である部分に、エッチング残り等により、二箇所の太り部分ＥＦが発生する。
このため、図１０（ｃ）中に表すように、第二導電層２０に第一導電層１０を積層した状態の平面視では、開口部２の開口率（透過率）が二箇所の太り部分ＥＦによって低下し、視認性が低下する。
【００４８】
しかしながら、図１０中に表す状態であっても、第一導電層１０において第一導体線１４が交差する状態や、第二導電層２０において第二導体線２４が交差する状態と比較して、開口部２の開口率（透過率）の低下度合と、視認性の低下度合が少ない。
これは、第一導電層１０において第一導体線１４が交差する状態では、特に図示しないが、第一導体線１４が交差した位置に、四箇所の太り部分ＥＦが発生するためである。また、第二導電層２０において第二導体線２４が交差する状態に関しても、同様である。
【００４９】
（作用）
図１から図１０を参照して、第一実施形態の作用を説明する。
第一実施形態のタッチパネル１を備えた携帯通信端末（携帯電話やノートＰＣ等）の使用時には、表示装置に表示されているアイコン等の位置（座標）を目標として、使用者が指先等でタッチパネル１に接触する。
そして、指先等が接触したタッチパネル１では、一つの第一導体線１４と複数本の第二導体線２４の各々との間における静電容量の変化が、第一導体線１４毎に検出されて、タッチパネル１の操作面における指先等の接触位置（座標）が検出される。
【００５０】
ここで、上述したように、第一実施形態のタッチパネル１は、一つの開口部２を囲む四本の線４ａ〜線４ｄからなる複数個の四角形のパターンＲＰが、複数本の導体線（第一導体線１４、第二導体線２４）で形成されている。
そして、交差せずに配置された複数本の導体線（第一導体線１４）を含む第一導電層１０と、第一導電層１０に積層され、且つ交差せずに配置された複数本の導体線（第二導体線２４）を含む第二導電層２０と、を備える。
これに加え、第二導電層２０に第一導電層１０を積層した状態の平面視で、第一導体線１４と第二導体線２４は、それぞれ、複数個の四角形のパターンＲＰが形成されるように配置されている。
【００５１】
これにより、第一導電層１０及び第二導電層２０のそれぞれで、複数本の導体線が交差しないようにしたことで、導体線の線幅が太くなることを抑制することが可能となる。
以上説明したように、第一実施形態のタッチパネル１であれば、複数個の四角形のパターンＲＰが複数本の導体線で形成されているタッチパネル１に対し、視認性が低下することを抑制することが可能となる。
なお、上述した第一実施形態は、本発明の一例であり、本発明は、上述した第一実施形態に限定されることはなく、この実施形態以外の形態であっても、本発明に係る技術的思想を逸脱しない範囲であれば、設計等に応じて種々の変更が可能である。
【００５２】
（第一実施形態の効果）
第一実施形態のタッチパネル１であれば、以下に記載する効果を奏することが可能となる。
（１）一つの開口部２を囲む四本の線４ａ〜線４ｄからなる複数個の四角形のパターンＲＰが、複数本の導体線（複数本の第一導体線１４、複数本の第二導体線２４）で形成されている。これに加え、交差せずに配置された複数本の導体線（第一導体線１４）を含む第一導電層１０と、第一導電層１０に積層され、且つ交差せずに配置された複数本の導体線（第二導体線２４）を含む第二導電層２０と、を備える。
そして、第二導電層２０に第一導電層１０を積層した状態の平面視で、第一導体線１４と第二導体線２４は、それぞれが交差して複数個の四角形のパターンＲＰが形成されるように配置されている。
このため、第一導電層１０及び第二導電層２０のそれぞれで、複数本の導体線が交差しないようにしたことで、導体線の線幅が太くなることを抑制することが可能となる。
その結果、複数個の四角形のパターンＲＰが複数本の導体線で形成されているタッチパネル１に対し、視認性が低下することを抑制することが可能となる。
【００５３】
（２）四角形のパターンＲＰを、正方形のパターンとする。
その結果、複数個の四角形のパターンＲＰを配列して形成したメッシュパターンが、均一な模様を形成するパターンとなり、複数本の導体線で形成されているタッチパネル１に対し、視認性が低下することを抑制することが可能となる。
【００５４】
（３）平面視で、第一主電極線１４Ｍが有する直線部分と、第二主電極線２４Ｍが有する直線部分とが交差する。
その結果、第一導電層１０と第二導電層２０との間の静電容量を増加させることが可能となり、タッチパネル１の操作面における指先等の導体の接触位置を検出する検出精度を向上させることが可能となる。
【００５５】
（４）平面視で、第一副電極線１４Ｓが有する直線部分と、第二副電極線２４Ｓが有する直線部分とが交差する。
その結果、第一導電層１０と第二導電層２０との間の静電容量を増加させることが可能となり、タッチパネル１の操作面における導体の接触位置を検出する検出精度を向上させることが可能となる。
【００５６】
（５）導体線が、電極に接続された複数本の主電極線（第一主電極線１４Ｍ、第二主電極線２４Ｍ）と、電極に接続された複数本の副電極線（第一副電極線１４Ｓ、第二副電極線２４Ｓ）と、を含む。
これに加え、複数本の主電極線が、平面視で予め設定した方向に連続するパターンである複数の主電極線群（第一主電極線群１８、第二主電極線群２８）を形成する。そして、複数の主電極線群同士が、副電極線のみで連結されている。
その結果、第一導電層１０及び第二導電層２０のそれぞれで、主電極線群と副電極線が交差しないパターンを形成することが可能となり、複数の主電極線群間で電流が流れることを回避することが可能となる。
【００５７】
（６）複数の主電極線群（第一主電極線群１８、第二主電極線群２８）は、平面視で、主電極線群の幅方向中心を通過する仮想直線（ＶＬ１Ｍ、ＶＬ２Ｍ）の、隣り合う間隔（間隔Ｌａ、間隔Ｌｂ）が等間隔となるように配置されている。
その結果、第一導電層１０及び第二導電層２０のそれぞれで、主電極線群を均等に配置することが可能となり、タッチパネル１の操作面における導体の接触位置を検出する検出感度を平均化させることが可能となる。
【００５８】
（７）第一導電層１０及び第二導電層２０において、主電極線（第一主電極線１４Ｍ、第二主電極線２４Ｍ）が有する直線部分の端部間に、副電極線（第一副電極線１４Ｓ、第二副電極線２４Ｓ）の一方の端部が連結されている。
このため、第一導電層１０及び第二導電層２０のそれぞれで、主電極線と副電極線とを「Ｔ字」形状で連結することが可能となり、主電極線と副電極線との連結部分に、太り部分ＥＦが発生することを抑制することが可能となる。
その結果、平面視で、開口部２の開口率（透過率）の低下を防止することが可能となるとともに、視認性の低下を抑制することが可能となる。
これにより、タッチパネル１を備える表示装置に対し、表示品位を良化させることが可能となる。
【００５９】
（８）平面視で、第一直角部１６と第二直角部２６とが重なっている。
このため、第一導電層１０が含む導体線の色と、第二導電層が含む導体線の色が異なる場合であっても、第一導電層１０が含む導体線の色と、第二導電層が含む導体線の色が混ざって視認される。
その結果、複数個の四角形のパターンＲＰが複数本の導体線で形成されているタッチパネル１に対し、視認性が低下することを抑制することが可能となる。
【００６０】
（９）導体線が有する直線部分ＳＴ（ＳＴａ、ＳＴｂ）の長さが、一つの開口部２を囲む四本の線４のうち一本の線の長さであるピッチＷＰの１倍以上６倍以下に設定されている。
このため、直線部分ＳＴの長さをピッチＷＰの６倍以下とすることで、直線部分ＳＴが、導体線の他の部分よりも、視認されやすくなることを抑制することが可能となる。
その結果、複数個の四角形のパターンＲＰが複数本の導体線で形成されているタッチパネル１に対し、視認性が低下することを抑制することが可能となる。
【００６１】
（１０）導体線が有する直線部分ＳＴ（ＳＴａ、ＳＴｂ）の長さが、ピッチＷＰの１倍以上４倍以下に設定されている。
このため、直線部分ＳＴの長さをピッチＷＰの４倍以下とすることで、直線部分ＳＴの長さをピッチＷＰの４倍を超える長さとした場合よりも、直線部分ＳＴが、導体線の他の部分よりも、視認されやすくなることを抑制することが可能となる。
その結果、複数個の四角形のパターンＲＰが複数本の導体線で形成されているタッチパネル１に対し、視認性が低下することを抑制することが可能となる。
【００６２】
（１１）複数個の四角形のパターンＲＰが、タッチパネル１を積層する表示装置が備える複数の画素を配列した配列方向に対して傾斜した方向である第一方向Ｄ１と、第一方向Ｄ１と交差する第二方向Ｄ２とに沿って配列されている。
このため、表示装置が備える複数の画素と、複数個の四角形のパターンＲＰを配列して形成したメッシュパターンと、の間で発生する、周期性との関係に起因する干渉（モアレ）を低減させることが可能となる。
その結果、タッチパネル１に対し、視認性が低下することを抑制することが可能となる。
【００６３】
（１２）導体線（第一導体線１４、第二導体線２４）が、電極に接続されない複数本のダミー線（複数本の第一ダミー線１４Ｄ、複数本の第二ダミー線２４Ｄ）をさらに含む。
これに加え、主電極線及び副電極線のうち少なくとも一方とダミー線とが交差して形成された四本の線４のうち、主電極線及び副電極線の数とダミー線の数との比率は、３：１、２：２、１：３、０：４のうちいずれか一つである。
このため、主電極線及び副電極線のうち少なくとも一方が交差する部分を形成しないことで、第一導電層１０及び第二導電層２０において、共に、二本の導体線が連結された連結点における、導体線の線幅が太くなる箇所の増加を抑制することが可能となる。
その結果、第一導電層１０及び第二導電層２０のそれぞれが含む導体線の線幅が太くなることを抑制することが可能となり、タッチパネル１に対し、視認性が低下することを抑制することが可能となる。
【００６４】
（１３）ダミー線と主電極線との間に、空隙部ＳＰが形成されている。
その結果、電気的に絶縁されたダミー線の長さを短縮させることが可能となるため、タッチパネル１の寄生容量（浮遊容量）を減少させることが可能となり、静電容量の変化を検出する検出感度の低下を抑制することが可能となる。
【００６５】
（１４）ダミー線と副電極線との間に、空隙部ＳＰが形成されている。
その結果、電気的に絶縁されたダミー線の長さを短縮させることが可能となるため、タッチパネル１の寄生容量を減少させることが可能となり、静電容量の変化を検出する検出感度の低下を抑制することが可能となる。
【００６６】
（１５）二本のダミー線が交差する位置に、空隙部ＳＰが形成されている。
その結果、ダミー線の長さを短縮させることが可能となるため、タッチパネル１の寄生容量を減少させることが可能となり、静電容量の変化を検出する検出感度の低下を抑制することが可能となる。
【００６７】
（変形例）
（１）第一実施形態では、第一導体線１４及び第二導体線２４により形成されるパターンを、図４及び図８中等に表すように、一つの検出領域に、四本の第一主電極線１４Ｍ及び第二主電極線２４Ｍが存在するパターンとしたが、これに限定するものではない。
すなわち、第一導体線１４及び第二導体線２４により形成されるパターンを、例えば、図１１中に表すように、一つの検出領域に、六本の第一主電極線１４Ｍ及び第二主電極線２４Ｍが存在するパターンとしてもよい。なお、図１１中では、説明のために、第一主電極線１４Ｍを実線で表し、第一副電極線１４Ｓ及び第一ダミー線１４Ｄを第一主電極線１４Ｍよりも細い実線で、まとめて「第一副電極線１４Ｓ」と表す。同様に、図１１中では、説明のために、第二主電極線２４Ｍを破線で表し、第二副電極線２４Ｓ及び第二ダミー線２４Ｄを、第二主電極線２４Ｍよりも細い破線で、まとめて「第二副電極線２４Ｓ」と表す。
したがって、本発明では、一つの検出領域に存在する第一主電極線１４Ｍ及び第二主電極線２４Ｍの数を、任意の値に設定することが可能である。例えば、一つの検出領域に存在する第一主電極線１４Ｍ及び第二主電極線２４Ｍの数を増加させることにより、導体線が断線した際の冗長性を向上させることが可能となる。
【００６８】
（２）第一実施形態では、第一導体線１４及び第二導体線２４により形成されるパターンを、図２中等に表すように、一つの検出領域において、第一方向Ｄ１に沿って２５個のパターンＲＰが配列されているパターンとしたが、これに限定するものではない。
すなわち、第一導体線１４及び第二導体線２４により形成されるパターンを、例えば、図１２中に表すように、一つの検出領域において、第一方向Ｄ１に沿って３３個のパターンＲＰが配列されているパターンとしてもよい。なお、図１２中では、説明のために、図２中と同様、第一導体線１４を実線で表し、第二導体線２４を破線で表す。
【００６９】
図１２中に表すパターンでは、ワイヤーピッチを、図２中に表すパターンと比較して短くした第二のピッチＷＰｓとしている。これにより、図１２中に表すパターンでは、第一方向Ｄ１に沿って配列されているパターンＲＰの数が、図２中に表すパターンよりも増加している。
したがって、本発明では、ワイヤーピッチの長さや、一つの検出領域に存在するパターンＲＰの数を、任意の値に設定することが可能である。例えば、一つの検出領域に存在するパターンＲＰの数を増減させることに伴う静電容量の変化を利用して、静電容量の設計自由度を向上させることが可能となる。
【００７０】
（３）第一実施形態では、第一導体線１４の構成を、第一導電層１０において、第一導体線１４のみで、一つの開口部２を囲み、四角形のパターンＲＰを形成する四本の線（図２参照）が形成されることがない構成とした。同様に、第二導体線２４の構成を、第二導電層２０において、第二導体線２４のみで、一つの開口部２を囲み、四角形のパターンＲＰを形成する四本の線（図２参照）が形成されることがない構成とした。
しかしながら、第一導体線１４及び第二導体線２４のうち少なくとも一方の構成は、上記の構成に限定するものではない。
【００７１】
すなわち、例えば、図１３中に表すように、第一導体線１４の構成を、第一導電層１０において、第一導体線１４のみで、一つの開口部２を囲み、四角形のパターンＲＰを形成する四本の線４ａ〜線４ｄが形成される構成としてもよい。また、特に図示しないが、第二導体線２４に関しても同様である。
なお、図１３中では、説明のために、第一導体線１４を実線で表し、第二導体線２４を破線で表す。
図１３中に表すように、第一導体線１４のみで、パターンＲＰを形成する四本の線４ａ〜線４ｄが形成される場合であっても、第一導電層１０には、第一導体線１４が交差する箇所が形成されることはない。また、特に図示しないが、第二導体線２４に関しても同様である。
【００７２】
（４）第一実施形態では、平面視で、第一主電極線１４Ｍが有する直線部分と、第二主電極線２４Ｍが有する直線部分とが交差する構成としたが、これに限定するものではない。
すなわち、第一主電極線１４Ｍが有する直線部分と、第二主電極線２４Ｍが有する直線部分とが交差しない構成としてもよい。
この場合、第一主電極線１４Ｍが有する直線部分と、第二主電極線２４Ｍが有する直線部分とが交差しない位置を調整することで、静電容量を調整することが可能となる。
これにより、タッチパネル１の設計自由度を向上させることが可能となる。
【００７３】
（５）第一実施形態では、平面視で、第一副電極線１４Ｓが有する直線部分と、第二副電極線２４Ｓが有する直線部分とが交差する構成としたが、これに限定するものではない。
すなわち、第一副電極線１４Ｓが有する直線部分と、第二副電極線２４Ｓが有する直線部分とが交差しない構成としてもよい。
この場合、第一副電極線１４Ｓが有する直線部分と、第二副電極線２４Ｓが有する直線部分とが交差しない位置を調整することで、静電容量を調整することが可能となる。
これにより、タッチパネル１の設計自由度を向上させることが可能となる。
【００７４】
（６）第一実施形態では、第一導電層１０が、タッチパネル１のセンシング層を形成し、第二導電層２０が、タッチパネル１のドライブ層を形成する構成としたが、これに限定するものではない。
すなわち、第一導電層１０が、タッチパネル１のドライブ層を形成し、第二導電層２０が、タッチパネル１のセンシング層を形成する構成としてもよい。
一般に、表示装置（携帯通信端末）の使用者側に配置されてタッチされる側の導電層がセンシング層と称され、駆動電圧が印加される側の導電層がドライブ層と称される。
【００７５】
また、センシング層やドライブ層を構成することになる第一導電層１０や第二導電層２０は、表示装置の画面サイズや形状に応じて、適宜に設計変更される。
例えば、縦横比が４：３や１６：９の横長画面では、水平方向にドライブ電極が延び、垂直方向にセンシング電極が延びる電極線の方向が選択され、縦横比に応じた行列の電極線本数が採用される場合もある。また、観察者側／反観察者側（表示素子側）の配置関係が変更される場合もある。
また、第一導電層１０と第二導電層２０が別体ではなく、共通（単独）の絶縁基材の表裏に第一導体線１４及び第二導体線２４が形成された構成のタッチセンサーフィルムでは、設計思想に応じた機能（名称）を担うことが必要とされる。これは、第一導体線１４及び第二導体線２４が、適宜、センシング層、または、ドライブ層の機能を受け持つことになることに起因する。
【００７６】
（７）第一実施形態では、四角形のパターンＲＰを、正方形のパターンとしたが、これに限定するものではなく、パターンＲＰを長方形としてもよい。
【００７７】
（８）第一実施形態では、平面視で、二本の第一導体線１４が連結された連結点に第一直角部１６が形成され、二本の第二導体線２４が連結された連結点に第二直角部２６が形成されている構成としたが、これに限定するものではない。
すなわち、二本の導体線がなす角度は、直角に限定されるものではなく、鋭角や鈍角であってもよい。したがって、パターンＲＰは、正方形のパターンに限定されるものではなく、平行四辺形のパターンであってもよい。
【００７８】
（９）第一実施形態では、第一導体線１４及び第二導体線２４により形成されるパターンを、一定幅の帯状電極からなる行方向／列方向のストライプが交差した「バーパターン」とした。しかしながら、第一導体線１４及び第二導体線２４により形成されるパターンは、「バーパターン」に限定するものではない。
すなわち、第一導体線１４及び第二導体線２４により形成されるパターンを、例えば、図１４から図１６中に表す、「ダイヤモンドパターン」としてもよい。「ダイヤモンドパターン」は、広幅部／狭幅部が繰り返されて構成されたパターンであり、且つ行方向／列方向の電極線が互いの狭幅部で交差するパターンである。
【００７９】
図１４中には、タッチパネル１が有する複数の検出領域のうち一つの検出領域のみを表す。図１４中では、図２中と同様、第一導体線１４を実線で表し、第二導体線２４を破線で表す。
図１５中には、第一導電層１０を表し、図１６中には、第二導電層２０を表す。また、図１５中では、第一主電極線１４Ｍを実線で表し、第一副電極線１４Ｓを破線で表し、第一ダミー線１４Ｄを第一主電極線１４Ｍよりも細い実線で表す。さらに、図１６中では、第二主電極線２４Ｍを実線で表し、第二副電極線２４Ｓを破線で表し、第二ダミー線２４Ｄを第二主電極線２４Ｍよりも細い実線で表す。
【符号の説明】
【００８０】
１…タッチパネル、２…開口部、４…開口部２を囲む線、６…直角積層部、１０…第一導電層、１２…第一基材、１４…第一導体線、１４Ｍ…第一主電極線、１４Ｓ…第一副電極線、１４Ｄ…第一ダミー線、１６…第一直角部、１８…第一主電極線群、２０…第二導電層、２２…第二基材、２４…第二導体線、２４Ｍ…第二主電極線、２４Ｓ…第二副電極線、２４Ｄ…第二ダミー線、２６…第二直角部、２８…第二主電極線群、ＲＰ…パターン、ＶＬ１Ｍ…第一主電極線群１８の幅方向中心を通過する仮想直線、ＶＬ２Ｍ…第二主電極線群２８の幅方向中心を通過する仮想直線、Ｌａ…仮想直線ＶＬ１Ｍの、隣り合う間隔、Ｌｂ…仮想直線ＶＬ２Ｍの、隣り合う間隔、ＳＰ…空隙部、ＣＥ…加工領域、ＷＰ…ピッチ、ＷＰｓ…第二のピッチ、ＳＴａ…第一導体線１４が有する直線部分のうち、ピッチＷＰの３倍に長さが設定された一つの直線部分、ＳＴｂ…第二導体線２４が有する直線部分のうち、ピッチＷＰの３倍に長さが設定された一つの直線部分、ＥＦ…太り部分
【図１】
2018067228.tif 000003
【図２】
2018067228.tif 000004
【図３】
2018067228.tif 000005
【図４】
2018067228.tif 000006
【図５】
2018067228.tif 000007
【図６】
2018067228.tif 000008
【図７】
2018067228.tif 000009
【図８】
2018067228.tif 000010
【図９】
2018067228.tif 000011
【図１０】
2018067228.tif 000012
【図１１】
2018067228.tif 000013
【図１２】
2018067228.tif 000014
【図１３】
2018067228.tif 000015
【図１４】
2018067228.tif 000016
【図１５】
2018067228.tif 000017
【図１６】
2018067228.tif 000018